(57)【要約】【課題】表示領域を割くことなく、メニュー画面の階層の深さを把握可能にする。【解決手段】階層化された複数の選択項目４２を選択するためのメニュー画面４０を前記階層ごとに記憶する記憶部１８と、前記メニュー画面４０を前記階層ごとに切り替えて表示する表示部１４とを有したカーナビゲーション装置１において、前記階層ごとのメニュー画面４０の背景４８に、それぞれ同一形状の背景図形５０を、前記階層の深さに応じた大きさで表示するようにした。【選択図】図５
2010020693.tif 000002
【特許請求の範囲】
【請求項１】
階層化された複数の選択項目を選択するためのメニュー画面を前記階層ごとに記憶する記憶手段と、前記メニュー画面を前記階層ごとに切り替えて表示する表示手段とを有した情報表示機器において、
前記階層ごとのメニュー画面の背景に、それぞれ同一形状の背景図形を、前記階層の深さに応じた大きさで表示することを特徴とする情報表示機器。
【請求項２】
前記階層ごとのメニュー画面のそれぞれで、前記背景図形の中心を同じ位置に固定して表示することを特徴とする請求項１に記載の情報表示機器。
【請求項３】
前記選択項目の選択、及び／又は選択決定する操作子を備え、
前記操作子が操作された場合、当該操作に合わせて当該操作の態様を模すように前記背景図形の表示を可変することを特徴とする請求項１又は２に記載の情報表示機器。
【請求項４】
階層化された複数の選択項目を選択するためのメニュー画面を前記階層ごとに切り替えて表示するメニュー画面表示方法において、
前記階層ごとのメニュー画面の背景に、それぞれ同一形状の背景図形を、前記階層の深さに応じた大きさで表示することを特徴とするメニュー画面表示方法。
【請求項５】
階層化された複数の選択項目を選択するためのメニュー画面を前記階層ごとに記憶する記憶手段と、前記メニュー画面を前記階層ごとに切り替えて表示する表示手段とを有した情報表示機器を、
前記階層ごとのメニュー画面の背景に、それぞれ同一形状の背景図形を、前記階層の深さに応じた大きさで表示するメニュー画面表示制御手段として機能させることを特徴とする制御プログラム。
【発明の詳細な説明】
【技術分野】
【０００１】
本発明は、階層構造を有するメニュー画面を階層ごとに表示して選択可能にする技術に関する。
【背景技術】
【０００２】
従来、カーナビゲーション装置やカーオーディオ等の車載用機器、或いはＰＮＤ（パーソナルナビゲーションデバイス：Personal Navigation Device）やＰＤＡ（Personal Digital Assistant）、携帯電話機等の携帯型情報機器においては、機器の機能設定に関する多数の設定項目が階層構造を有して記憶され、また、これらの設定項目を選択するためのメニュー画面が階層ごとに設けられている。
一般に、上記の機器が備える表示パネルは表示領域が小さいため、複数の階層のメニュー画面を同時に表示する事は、視認性が悪くなるため現実的ではない。
【０００３】
そこで、上記の機器においては、上位階層のメニュー画面において設定項目が選択決定された場合、このメニュー画面の表示を消して、選択決定された設定項目の下位階層のメニュー画面を表示する、といったように、階層ごとにメニュー画面を切り替えて表示パネルに表示を行っている。
このように階層ごとにメニュー画面を切り替えて表示する場合、ユーザにとっては、階層間を移動して操作している際に、自分がどの階層にいるかを把握することが困難になる。そこで、従来、階層ごとのメニュー画面には、それぞれ階層の深さをアイコンや数字で表示する専用の領域が設けられている（例えば、特許文献１参照）。
【特許文献１】特開２００７−１７９３３３号公報
【発明の開示】
【発明が解決しようとする課題】
【０００４】
しかしながら、階層の深さを表示する専用の領域を設けると、設定項目を表示するためのスペースが削られてしまう、という問題がある。また、専用の表示が無くとも階層の深さを把握できるユーザ、或いは階層の深さを意識しないユーザにとっては、階層の深さの表示が煩わしく感じられる場合がある。
本発明は、上述した事情に鑑みてなされたものであり、表示領域を割くことなく、メニュー画面の階層の深さを把握可能な情報表示機器、メニュー画面表示方法、及び制御プログラムを提供することを目的とする。
【課題を解決するための手段】
【０００５】
上記目的を達成するために、本発明は、階層化された複数の選択項目を選択するためのメニュー画面を前記階層ごとに記憶する記憶手段と、前記メニュー画面を前記階層ごとに切り替えて表示する表示手段とを有した情報表示機器において、前記階層ごとのメニュー画面の背景に、それぞれ同一形状の背景図形を、前記階層の深さに応じた大きさで表示することを特徴とする。
【０００６】
また本発明は、上記の本発明に係る情報表示機器において、前記階層ごとのメニュー画面のそれぞれで、前記背景図形の中心を同じ位置に固定して表示することを特徴とする。
【０００７】
また本発明は、上記の本発明に係る情報表示機器において、前記選択項目の選択、及び／又は選択決定する操作子を備え、前記操作子が操作された場合、当該操作に合わせて当該操作の態様を模すように前記背景図形の表示を可変することを特徴とする。
【０００８】
また上記目的を達成するために、本発明は、階層化された複数の選択項目を選択するためのメニュー画面を前記階層ごとに切り替えて表示するメニュー画面表示方法において、前記階層ごとのメニュー画面の背景に、それぞれ同一形状の背景図形を、前記階層の深さに応じた大きさで表示することを特徴とする。
【０００９】
また上記目的を達成するために、本発明は、階層化された複数の選択項目を選択するためのメニュー画面を前記階層ごとに記憶する記憶手段と、前記メニュー画面を前記階層ごとに切り替えて表示する表示手段とを有した情報表示機器を、前記階層ごとのメニュー画面の背景に、それぞれ同一形状の背景図形を、前記階層の深さに応じた大きさで表示するメニュー画面表示制御手段として機能させることを特徴とする制御プログラムを提供する。
【発明の効果】
【００１０】
本発明によれば、階層ごとのメニュー画面の背景に、それぞれ同一形状の背景図形を、階層の深さに応じた大きさで表示するため、専用の表示領域を設けなくとも、ユーザは背景図形の大きさに着目することで階層の深さを把握することができる。
さらに、表示手段の表示領域が階層表示により割かれる事がないため、表示領域が有効に利用可能となり、また、階層が背景図形の大きさにより示されるから、階層表示に興味がないユーザが煩わしく感じる事もない。
【発明を実施するための最良の形態】
【００１１】
以下、図面を参照して本発明の実施形態について説明する。
なお、以下の説明では、情報表示機器の一態様として、車両に搭載されるカーナビゲーション装置を例示するが、本発明は、これに限定されるものでは無く、例えばカーオーディオ等の車載機器、或いはＰＮＤやＰＤＡ、携帯電話機等の携帯型情報機器に適用することができる。
【００１２】
図１は、本実施形態にかかるカーナビゲーション装置１の取付状態を示す斜視図である。
カーナビゲーション装置１は、ダッシュボード５の運転席と助手席との間に配置され、ダッシュボード５から車室内に露出した表示手段としての表示部１４と、ダッシュボード５内に収納された本体部（不図示）とを備える。
このカーナビゲーション装置１の下方には、ダッシュボード５から車体後方に延びる箱状のコンソール７が設けられ、このコンソール７の上面部７Ａに操作スイッチ３が設けられている。この操作スイッチ３は、カーナビゲーション装置１の表示部１４と近接して設けられ、運転者が運転席に着座した状態で、当該表示部１４を見ながら片手（本実施形態では左手）でカーナビゲーション装置１を操作できるようになっている。
【００１３】
図２は、カーナビゲーション装置１の機能的構成を示すブロック図である。
カーナビゲーション装置１は、各部を中枢的に制御する制御手段としての制御部１０と、車両の自車位置を検出する位置検出部１２と、表示手段としての上記表示部１４と、操作手段としての上記操作スイッチ３を備えた操作部１６と、記憶手段としての記憶部１８とを備えている。
【００１４】
位置検出部１２は、車両の現在位置を検出する手段としてＧＰＳユニット２０を備えている。ＧＰＳユニット２０は、ＧＰＳ衛星が発するＧＰＳ電波をＧＰＳアンテナ２２により受信し、ＧＰＳ電波に重畳されたＧＰＳ信号に基づいて、車両の現在位置の経度及び緯度を示す現在位置地の情報を演算により取得し自車位置として制御部１０に出力する。
なお、ＧＰＳユニット２０に加えて、例えばジャイロセンサや車速パルスセンサ、加速度センサをカーナビゲーション装置１に設けて自立航法可能に構成しても良い。
【００１５】
表示部１４は、例えば液晶ディスプレイや有機ＥＬディスプレイ等のフラットディスプレイ型の表示パネル２４を備え、制御部１０の制御の下、メニュー画面や経路案内画面等の各種情報を表示する。この表示パネル２４がダッシュボード５から露出して取付けられる（図１）。
操作部１６は、図１に示す操作スイッチ３を備える。この操作スイッチ３は、回転操作及び押下操作が可能なロータリスイッチ３Ａの中心部分にセンタープッシュスイッチ３Ｂを配設して構成されており、ロータリスイッチ３Ａ、及びセンタープッシュスイッチ３Ｂに対応する操作が、それぞれ独立して実行可能になされている。この他にも操作部１６には、電源ボタン等の図示しない操作ボタンが設けられている。
【００１６】
記憶部１８は、例えば半導体メモリやハードディスクドライブにより構成され、カーナビゲーション装置１の各種機能を実現するための制御プログラム２８や、経路案内に供する地図データや自車位置マーク、各種アイコン等の経路案内用データ３０、メニュー画面４０（図３）のメニュー画面データ３２を記憶する。
制御部１０は、ＣＰＵやＲＯＭ、ＲＡＭを備えて構成され、従来のカーナビゲーション装置が備える一般的な機能の他に、本実施形態では、メニュー画面表示制御部３４を備えている。
メニュー画面表示制御部３４は、表示パネル２４へのメニュー画面表示を制御するものである。
【００１７】
図３は、メニュー画面４０の一例を示す図である。
メニュー画面４０は、カーナビゲーション装置１の機能設定に関する設定項目や、音楽や映像等のコンテンツを再生する機能を備えている場合には当該コンテンツといった、各種の選択項目４２を選択するための画面である。
すなわち、メニュー画面４０には、図３に示すように、１又は複数の選択項目４２を表示する選択項目表示領域４４と、このメニュー画面４０のタイトルを表示するタイトル表示領域４６とが画定して設けられている。
選択項目表示領域４４に選択項目４２を表示する態様は、図３（Ａ）に示すように、複数の選択項目４２を縦横に並べて表示する態様や、図３（Ｂ）に示すように、複数の選択項目４２を一方向に並べて表示する態様などを採用できる。
【００１８】
メニュー画面４０における選択項目４２の選択操作、及び選択決定操作は、それぞれ操作スイッチ３のロータリスイッチ３Ａに対する回転操作、及びプッシュ操作によって行われる。選択操作により選択された選択項目４２は、その選択項目４２の表示領域の表示色が変化したり、或いは選択項目４２の項目名が強調表示されるなどして選択状態であることが明示される。
【００１９】
さらに本実施形態においては、メニュー画面４０の背景４８に、背景図形５０を表示することとしている。
この背景図形５０には、操作スイッチ３を模してリング形状が用いられており、操作スイッチ３が操作された場合には、上記メニュー画面表示制御部３４によって、操作スイッチ３の操作の種類に応じて背景図形５０の表示が動的に変化される。
例えば、操作スイッチ３のロータリスイッチ３Ａが回転操作された場合には、図４（Ａ）に示すように、回転操作の方向に背景図形５０が回転してみえるような動的表示が行われ、また、操作スイッチ３のロータリスイッチ３Ａがプッシュ操作（押下操作）された場合には、図４（Ｂ）に示すように、プッシュ操作に合わせて背景図形５０が点滅（ブリンク）してみえるような動的表示が行われる。
このように、操作スイッチ３の操作に合わせて、当該操作に観念的に模した動きを背景図形５０が行うため、操作と表示との関連性が高められ、画面表示による操作の誘導性が高められる。
【００２０】
ところで、上記選択項目４２は、選択項目の内容の関連性に基づいて第０階層（ルート）から第ｎ階層に階層化されて整理されており、図５に示すように、それぞれの階層ごとに上記メニュー画面４０が設けられている。
メニュー操作を行う際には、表示パネル２４に第０階層（ルート）のメニュー画面４０が最初に表示される。そして、操作スイッチ３を回転操作して、第０階層（ルート）のメニュー画面４０から選択項目４２を選択し、操作スイッチ３をプッシュ操作して選択決定することで、当該選択決定された選択項目４２の１階層下（第１階層）のメニュー画面４０に表示パネル２４の表示が切り替えられる。
【００２１】
すなわち、本実施形態では、操作スイッチ３に対する回転操作とプッシュ操作によってメニュー画面４０の階層を深く辿って行くようになっている。
また、メニュー画面４０の階層を下位から上位に戻る場合には、操作スイッチ３に設けられたセンタープッシュスイッチ３Ｂを操作する。このセンタープッシュスイッチ３Ｂがプッシュ操作されると、最上位の階層である第０階層（ルート）のメニュー画面４０に表示パネル２４の表示が切り替えられる。
このようにメニュー画面４０の階層を下位から上位に戻る操作が行われた場合に、常に最上位の階層のメニュー画面４０が表示されるため、同一階層に並存するメニュー画面４０の数が多い場合（同一階層での分岐が多い場合）には、今の階層から１つずつ上位の階層に戻って行くよりも、並存する他のメニュー画面４０に速やかに到達することができる。
【００２２】
また、各階層のメニュー画面４０においては、図５に示すように、上記メニュー画面表示制御部３４によって、それぞれの背景４８に同一形状の背景図形５０が表示され、下位の（深い）階層ほど背景図形５０の大きさ（本実施形態ではリング径）が大きくなるように表示されている。
また、各階層のメニュー画面４０において、背景図形５０の中心位置（本実施形態ではリングの中心）を同じ位置に固定することとしており、下位の階層のメニュー画面４０に切り替わった際に背景図形５０が拡大された事を認識し易くし、また、その背景図形５０の大きさを表示パネル２４との対比において把握し易くしている。
これにより、ユーザは、メニュー画面４０の階層を深く辿って行く際に、背景図形５０の大きさに着目することで、メニュー画面４０の階層の深さを把握可能となる。
【００２３】
このように、本実施形態によれば、階層ごとのメニュー画面４０の背景４８に、それぞれ同一形状の背景図形５０を、階層の深さに応じた大きさで表示する構成としたため、専用の表示領域を設けなくとも、ユーザは背景図形５０の大きさに着目することで階層の深さを把握することができる。
さらに、表示パネル２４の表示領域を階層表示に割く必要がないため、表示領域を有効に利用することができる。また、階層が背景図形５０の大きさにより示されるから、階層表示に興味がないユーザが煩わしく感じる事もない。
【００２４】
また本実施形態によれば、階層ごとのメニュー画面４０のそれぞれで、背景図形５０の中心を同じ位置に固定して表示するようにしたため、下位の階層のメニュー画面４０に切り替わった際に背景図形５０が拡大された事をユーザが認識し易くなり、また、その背景図形５０の大きさを表示パネル２４との対比においてユーザが把握し易くなる。
【００２５】
これに加え、本実施形態によれば、選択項目４２の選択、及び選択決定する操作スイッチ３が操作された場合、当該操作に合わせて当該操作の態様を模すように背景図形５０を回転表示、或いは、点滅表示させる構成とした。この構成により、操作スイッチ３の操作に合わせて、当該操作に観念的に模した動きを背景図形５０が行うため、操作と表示との関連性が高められ、画面表示による操作の誘導性が高められる。
特に、背景図形５０の図形形状を操作スイッチ３を模した形状とすることで、操作と表示との関連性を、ユーザにより強く印象付けることができる。
【００２６】
なお、上述した実施形態は、あくまでも本発明の一態様を示すものであり、本発明の範囲内で任意に変形および応用が可能であることは勿論である。
【図面の簡単な説明】
【００２７】
【図１】本発明の実施形態に係るカーナビゲーション装置の取付状態を示す斜視図である。
【図２】カーナビゲーション装置の機能的構成を示すブロック図である。
【図３】メニュー画面の一例を示す図である。
【図４】操作に合わせたメニュー画面の背景図形の表示態様を示す図である。
【図５】メニュー画面の階層構造と共に、階層ごとの背景図形を示す図である。
【符号の説明】
【００２８】
１  カーナビゲーション装置（情報表示機器）
３  操作スイッチ
３Ａ  ロータリスイッチ
３Ｂ  センタープッシュスイッチ
１０  制御部
１４  表示部
１６  操作部
１８  記憶部
２８  制御プログラム
３２  メニュー画面データ
３４  メニュー画面表示制御部
４０  メニュー画面
４２  選択項目
４８  背景
５０  背景図形
【図１】
2010020693.tif 000003
【図２】
2010020693.tif 000004
【図３】
2010020693.tif 000005
【図４】
2010020693.tif 000006
【図５】
2010020693.tif 000007